(57)【要約】【課題】比較的小さな面積で多くの種別を識別することができるプリント基板を提供する。【解決手段】種別識別表示１０には、４対のランド（１２a1，１２a2と１２b1，１２b2と１２c1，１２c2と１２d1，１２d2）が設けられている。それぞれのランドの対に対して、電子部品（抵抗器）５が実装されていない場合は“０”、実装されていれば“１”を示す。それぞれの箇所（４対）が示す数字の組み合わせにより、プリント基板の種別を示す識別番号を表す。【選択図】図２
2013069856.tif 000002
【特許請求の範囲】
【請求項１】
１または複数箇所のランドが設けられ、
それぞれの箇所の前記ランドに対して、ｎ種類（ｎは１以上の整数）の電子部品のいずれもが実装されていない状態と、前記ｎ種類のいずれかの電子部品が実装されているｎ種類の状態とによって、それぞれの箇所が（ｎ＋１）進数の一桁の数字を示し、それぞれの箇所が示す数字の組み合わせにより、識別番号を表す種別識別表示が設けられている
ことを特徴とするプリント基板。
【請求項２】
１または複数箇所のランドが設けられ、
それぞれの箇所の前記ランドに対して、ｎ種類（ｎは１以上の整数）の電子部品のいずれもが実装されていない状態と、前記ｎ種類のいずれかの電子部品が実装されているｎ種類の状態とによって、それぞれの箇所が（ｎ＋１）進数の一桁の数字を示し、
前記複数箇所のランドが（ｎ＋１）進数の桁の並びを示し、
前記複数個所のランドの部品の実装状況による（ｎ＋１）進数の数字が意味する数を数値として識別番号とする種別識別表示が設けられている
ことを特徴とするプリント基板。
【請求項３】
前記種別識別表示は枠で囲われていることを特徴とする請求項１または２に記載のプリント基板。
【請求項４】
前記ランドは複数箇所並べて設けられ、前記ランドが並んでいる方向の一方の側に、前記識別番号の最下位または最上位の桁を示す印が設けられていることを特徴とする請求項１〜３のいずれか１項に記載のプリント基板。
【請求項５】
前記電子部品として、抵抗器を用いることを特徴とする請求項１〜４のいずれか１項に記載のプリント基板。
【請求項６】
前記電子部品として、コンデンサを用いることを特徴とする請求項１〜４のいずれか１項に記載のプリント基板。
【請求項７】
プリント基板の所定の位置に、前記プリント基板の種別識別表示として、１または複数箇所のランドを設け、
それぞれの箇所の前記ランドに対して、ｎ種類（ｎは１以上の整数）の電子部品のいずれもが実装されていない状態と、前記ｎ種類のいずれかの電子部品が実装されているｎ種類の状態とによって、それぞれの箇所が（ｎ＋１）進数の一桁の数字を示し、それぞれの箇所が示す数字の組み合わせにより、前記プリント基板の種別を示す識別番号を表す
ことを特徴とするプリント基板の種別識別方法。
【請求項８】
１または複数箇所のランドが設けられ、
それぞれの箇所の前記ランドに対して、ｎ種類（ｎは１以上の整数）の電子部品のいずれもが実装されていない状態と、前記ｎ種類のいずれかの電子部品が実装されているｎ種類の状態とによって、それぞれの箇所が（ｎ＋１）進数の一桁の数字を示し、
前記複数箇所のランドが（ｎ＋１）進数の桁の並びを示し、
前記複数個所のランドの部品の実装状況による（ｎ＋１）進数の数字が意味する数を数値として識別番号とする
ことを特徴とするプリント基板の種別識別方法。
【請求項９】
前記電子部品は、前記プリント基板に実装されている電気回路の一部を構成せず、前記識別番号を表すため専用に用いられていることを特徴とする請求項７または８に記載のプリント基板の種別識別方法。
【請求項１０】
前記電子部品として、抵抗器を用いることを特徴とする請求項７〜９のいずれか１項に記載のプリント基板の種別識別方法。
【請求項１１】
前記電子部品として、コンデンサを用いることを特徴とする請求項７〜９のいずれか１項に記載のプリント基板の種別識別方法。
【発明の詳細な説明】
【技術分野】
【０００１】
本発明は、仕向け地，製造場所，仕様，機種等の種別を識別することができるプリント基板及びプリント基板の種別識別方法に関する。
【背景技術】
【０００２】
電子機器の製造工程において、多品種の電子機器を製造する場合がある。電子機器に内蔵するプリント基板を異ならせることによって、それぞれの品種の電子機器とすることが多い。電子機器の品種の一例として、仕向け地がある。電子機器を製造する際には、プリント基板が複数の仕向け地の内のどの仕向け地のものであるかを識別できることが必要である。特許文献１〜３には、プリント基板の種別を識別するための種別識別方法が記載されている。
【先行技術文献】
【特許文献】
【０００３】
【特許文献１】特開平２−２５１１９４号公報
【特許文献２】特開平５−１３８９９号公報
【特許文献２】特開２００１−２２３４５７号公報
【発明の概要】
【発明が解決しようとする課題】
【０００４】
特許文献１〜３に記載されているように、プリント基板の種別を識別するためには、プリント基板上にプリント基板の種別を識別するための識別表示を行うことが必要となる。小型の電子機器ではプリント基板が小さいため、小さい面積の識別表示でプリント基板の種別を識別することが望まれる。しかも、種別が多い場合にも対応できるよう、多くの種別を識別可能な識別表示とすることが望まれる。
【０００５】
本発明はこのような要望に対応するため、比較的小さな面積で多くの種別を識別することができるプリント基板及びプリント基板の種別識別方法を提供することを目的とする。
【課題を解決するための手段】
【０００６】
本発明は、上述した従来の技術の課題を解決するため、１または複数箇所のランド（１２a1〜１２d2）が設けられ、それぞれの箇所の前記ランドに対して、ｎ種類（ｎは１以上の整数）の電子部品（５，６）のいずれもが実装されていない状態と、前記ｎ種類のいずれかの電子部品が実装されている状態とによって、それぞれの箇所が（ｎ＋１）進数の一桁の数字を示し、それぞれの箇所が示す数字の組み合わせにより、識別番号を表す種別識別表示（１０）が設けられていることを特徴とするプリント基板を提供する。
【０００７】
また、本発明は、上述した従来の技術の課題を解決するため、１または複数箇所のランド（１２a1〜１２d2）が設けられ、それぞれの箇所の前記ランドに対して、ｎ種類（ｎは１以上の整数）の電子部品（５，６）のいずれもが実装されていない状態と、前記ｎ種類のいずれかの電子部品が実装されているｎ種類の状態とによって、それぞれの箇所が（ｎ＋１）進数の一桁の数字を示し、前記複数箇所のランドが（ｎ＋１）進数の桁の並びを示し、前記複数個所のランドの部品の実装状況による（ｎ＋１）進数の数字が意味する数を数値として識別番号とする種別識別表示（１０）が設けられていることを特徴とするプリント基板を提供する。
【０００８】
上記のそれぞれのプリント基板において、前記種別識別表示は枠（１１）で囲われていることが好ましい。
【０００９】
上記のそれぞれのプリント基板において、前記ランドは複数箇所並べて設けられ、前記ランドが並んでいる方向の一方の側に、前記識別番号の最下位または最上位の桁を示す印が設けられていることが好ましい。
【００１０】
上記のそれぞれのプリント基板において、前記電子部品として、抵抗器を用いることが好ましい。上記のそれぞれのプリント基板において、前記電子部品として、コンデンサを用いることが好ましい。
【００１１】
さらに、本発明は、上述した従来の技術の課題を解決するため、プリント基板（１００）の所定の位置に、前記プリント基板の種別識別表示（１０）として、１または複数箇所のランド（１２a1〜１２d2）を設け、それぞれの箇所の前記ランドに対して、ｎ種類（ｎは１以上の整数）の電子部品（５，６）のいずれもが実装されていない状態と、前記ｎ種類のいずれかの電子部品が実装されているｎ種類の状態とによって、それぞれの箇所が（ｎ＋１）進数の一桁の数字を示し、それぞれの箇所が示す数字の組み合わせにより、前記プリント基板の種別を示す識別番号を表すことを特徴とするプリント基板の種別識別方法を提供する。
【００１２】
さらにまた、本発明は、上述した従来の技術の課題を解決するため、１または複数箇所のランド（１２a1〜１２d2）が設けられ、それぞれの箇所の前記ランドに対して、ｎ種類（ｎは１以上の整数）の電子部品（５，６）のいずれもが実装されていない状態と、前記ｎ種類のいずれかの電子部品が実装されているｎ種類の状態とによって、それぞれの箇所が（ｎ＋１）進数の一桁の数字を示し、前記複数箇所のランドが（ｎ＋１）進数の桁の並びを示し、前記複数個所のランドの部品の実装状況による（ｎ＋１）進数の数字が意味する数を数値として識別番号とすることを特徴とするプリント基板の種別識別方法を提供する。
【００１３】
上記のそれぞれのプリント基板の種別識別方法において、前記電子部品は、前記プリント基板に実装されている電気回路の一部を構成せず、前記識別番号を表すため専用に用いられていることが好ましい。
【００１４】
上記のそれぞれのプリント基板の種別識別方法において、前記電子部品として、抵抗器を用いることが好ましい。上記のそれぞれのプリント基板の種別識別方法において、前記電子部品として、コンデンサを用いることが好ましい。
【発明の効果】
【００１５】
本発明のプリント基板及びプリント基板の種別識別方法によれば、比較的小さな面積で多くの種別を識別することが可能となる。
【図面の簡単な説明】
【００１６】
【図１】本発明のプリント基板の一実施形態を示す平面図である。
【図２】図１における種別識別表示１０の具体例を示す平面図である。
【図３】種別識別表示１０が示す識別番号と仕向け地との対応表の例を示す図である。
【図４】図１における種別識別表示１０の他の具体例を示す平面図である。
【図５】種別識別表示１０が示す識別番号と仕向け地との対応表の他の例を示す図である。
【発明を実施するための形態】
【００１７】
以下、本発明のプリント基板及びプリント基板の種別識別方法の一実施形態について、添付図面を参照して説明する。図１において、一実施形態のプリント基板１００には、複数種類の電子部品（チップ部品）１〜６が実装されている。例えば、電子部品３，４は集積回路、電子部品５は抵抗器、電子部品６はコンデンサである。以下、抵抗器５、コンデンサ６とする。プリント基板１００の所定箇所には、種別識別表示１０が設けられている。種別識別表示１０を設ける場所は任意であり、電気回路を構成する各電子部品１〜６を実装していない、空いている領域に設ければよい。
【００１８】
図２を用いて種別識別表示１０の詳細について説明する。図２（Ａ）に示すように、種別識別表示１０は、例えばシルク印刷によって形成された枠１１内に、ランド１２a1〜１２d2が設けられている。ランド１２a1，１２a2と、ランド１２b1，１２b2と、ランド１２c1，１２c2と、ランド１２d1，１２d2がそれぞれ対になっており、電子部品を４箇所実装可能となっている。枠１１の外側であり、４対のランド１２a1〜１２d2が並んでいる方向の一方の側には、一例として三角形の印１３が付されている。印１３は、種別識別表示１０が示す数字の最下位の桁がある側を示している。印１３も例えばシルク印刷によって形成すればよい。
【００１９】
印１３を枠１１の内側に設けてもよいし、種別識別表示１０が示す数字の最上位の桁がある側を示してもよい。本実施形態では、後述するように、種別識別表示１０にプリント基板１００で使用している電子部品を用いている。枠１１は、種別識別表示１０であることを容易に認識することができるように設けられている。枠１１を設ければ、種別識別表示１０として用いている電子部品と電気回路の部品として用いている電子部品とを容易に区別することができるので、枠１１を設けることが好ましい。
【００２０】
本実施形態においては、ランド１２a1，１２a2と、ランド１２b1，１２b2と、ランド１２c1，１２c2と、ランド１２d1，１２d2とのそれぞれで、電子部品が実装されていない状態を“０”とする。図２（Ａ）では、４対のランド１２a1〜１２d2のいずれも電子部品が実装されていないので、プリント基板１００の種別を識別するための識別番号として“００００”を示している。
【００２１】
図２（Ｂ）は、最下位の桁を示すランド１２d1，１２d2に対して電子部品が実装されている状態を示している。図２においては、電子部品の一例として、抵抗器５を用いている。ランド１２a1，１２a2と、ランド１２b1，１２b2と、ランド１２c1，１２c2と、ランド１２d1，１２d2とのそれぞれで、抵抗器５が実装されている状態を“１”とする。図２（Ｂ）では、最下位の桁を示すランド１２d1，１２d2に抵抗器５が実装されているので、プリント基板１００の種別を識別するための識別番号として“０００１”を示している。
【００２２】
同様にして、図２（Ｃ）は、ランド１２b1，１２b2とランド１２c1，１２c2とに抵抗器５が実装されており、プリント基板１００の種別を識別するための識別番号として“０１１０”を示している。図１に示すプリント基板１００における種別識別表示１０は、図２（Ｃ）の状態である。
【００２３】
以上のように図２（Ａ），（Ｂ），（Ｃ）のそれぞれが表す識別番号は、４桁２進数の数字として認識して識別することができる。
【００２４】
図２に示す例では、ランドを４対とし、４桁の数字を表すようにしているが、桁数は任意である。種別識別表示１０に用いる電子部品としては抵抗器５に限定されるものではない。種別識別表示１０内に実装されている電子部品は電気回路を構成するものではなく、単に、プリント基板１００の種別を識別するための識別番号を表すため専用に用いられている。従って、電子部品の電気的性能は任意でよい。抵抗器５は非常に安価であり、種別識別表示１０に用いる電子部品として好適である。また、抵抗器５は非常に小型の部品であるため、種別識別表示１０を小さくすることができる。
【００２５】
図２に示す例では、種別識別表示１０が示す識別番号は４桁であるので、１６通りの識別番号を表現することができる。例えば図３に示すように、識別番号と仕向け地とを対応させた対応表２０を作成しておけば、プリント基板１００の仕向け地を容易に判断することができる。
【００２６】
種別識別表示１０が示す種別は仕向け地に限定されるものではない。プリント基板１００の仕様や、プリント基板１００を搭載する電子機器の機種であってもよい。また、種別識別表示１０は電子機器の製造工程の際に必要となる情報以外を示すものであってもよい。例えば、プリント基板１００の製造場所（製造工場）を示してもよく、プリント基板１００を搭載する電子機器の製造場所（製造工場）を示してもよい。種別識別表示１０が示す種別は任意である。
【００２７】
図４は、図２を発展させて、さらに多くの識別番号を表現することができるようにした例である。図４に示す例では、種別識別表示１０に用いる電子部品として、抵抗器５に加えて、コンデンサ６を用いている。ランド１２a1，１２a2と、ランド１２b1，１２b2と、ランド１２c1，１２c2と、ランド１２d1，１２d2とのそれぞれで、コンデンサ６が実装されている状態を“２”とする。図４の例では、ランド１２a1，１２a2とランド１２b1，１２b2とに抵抗器５が実装され、ランド１２d1，１２d2にコンデンサ６が実装されているので、プリント基板１００の種別を識別するための識別番号として“１１０２”を示している。
【００２８】
以上のように図４が表す識別番号は、４桁３進数の数字として認識して識別することができる。
【００２９】
コンデンサ６も非常に安価であり、小型の部品であるため、種別識別表示１０に用いる電子部品として好適である。しかも、抵抗器５とコンデンサ６とは視覚的に区別が容易である。複数の電子部品を実装する場合には、色や文字等で、人が視覚的に容易に識別することができる電子部品を用いる。抵抗器５には、抵抗器の種類を示す数字が付されていることがあるので、数字が異なる２種類の抵抗器５を用いて、“１”と“２”を表すようにしてもよい。
【００３０】
図４に示す例では、種別識別表示１０が示す識別番号は４桁であり、２種類の電子部品を用いているので、８１通りの識別番号を表現することができる。種別識別表示１０に用いる電子部品の種類をさらに増やせば、さらに多くの識別番号を表現することができる。
【００３１】
本実施形態では、抵抗器５やコンデンサ６のように両端に端子を有する電子部品を種別識別表示１０に用いる電子部品としたため、ランド１２a1〜１２d2は対として形成されている。ランドは電子部品の端子の形状に合わせて設ければよい。即ち、１または複数箇所のランドを設ければよい。
【００３２】
以上の説明より分かるように、本実施形態では、種別識別表示１０は、それぞれの箇所のランドに対して、ｎ種類（ｎは１以上の整数）の電子部品が実装されていない状態とｎ種類のいずれの電子部品が実装されているかによって、それぞれの箇所が（ｎ＋１）進数の一桁の数字を示すこととなる。そして、それぞれの箇所が示す数字の組み合わせにより、プリント基板１００の種別を識別するための識別番号を表している。
【００３３】
また、枠１１内全体で表す数字が示す実質的な数を数値とした識別番号としてもよい。
具体的には、
図２（Ｃ）の２進数による識別番号を例にすると、２進数の０１１０は、
０×２３＋１×２２＋１×２１＋０×２０
より１０進数では６となり、６を識別番号とする。
図４を３進数による識別番号を例にすると、３進数の１１０２は、
１×３３＋１×３２＋０×３１＋２×３０
より１０進数では３８となり、３８を識別番号とする。
【００３４】
この場合、それぞれの箇所のランド１２a1〜１２d2に対して、ｎ種類（ｎは１以上の整数）の電子部品のいずれもが実装されていない状態と、ｎ種類のいずれかの電子部品が実装されているｎ種類の状態とによって、それぞれの箇所が（ｎ＋１）進数の一桁の数字を示す。複数箇所のランド１２a1〜１２d2が（ｎ＋１）進数の桁の並びを示す。複数個所のランド１２a1〜１２d2の部品の実装状況による（ｎ＋１）進数の数字が意味する数を数値として識別番号とする。
【００３５】
図５は、枠１１内全体で表す数字が示す実質的な数を数値とした識別番号の識別番号と仕向け地とを対応させた対応表２１の例を示している。図５に示すように、枠１１内が表す（ｎ＋１）進数の数字が意味する数を任意のＮ進数の数値（Ｎは任意の自然数）として認識し、識別番号として対応する仕向けを識別してもよい。上記の例では数を数値として認識するため１０進数の数値に変換したが、枠１１内が表す数字が４桁の２進数であった場合、１６進数に変換し認識する識別番号の桁数を少なくすることもできる。
【００３６】
図１に示す本実施形態のプリント基板１００は、電子部品の実装機で各電子部品１〜６を実装する際に併せて、種別識別表示１０に対して抵抗器５やコンデンサ６を実装することができる。従って、１枚のプリント基板１００を製造する工程の中でほとんど付加的な工数を追加することなく、種別識別表示１０を設けることが可能となる。しかも、上記のように、安価な電子部品を用いることによって、コストの上昇は極めてわずかである。電気回路用の電子部品としては用いることができない本来であれば廃棄される電子部品を用いてもよく、この場合にはコストの上昇はほとんどない。
【００３７】
本発明は以上説明した本実施形態に限定されるものではなく、本発明の要旨を逸脱しない範囲において種々変更可能である。
【符号の説明】
【００３８】
１〜４  電子部品
５  抵抗器
６  コンデンサ
１０  種別識別表示
１１  枠
１２a1〜１２d2  ランド
１３  印
１００  プリント基板
【図１】
2013069856.tif 000003
【図２】
2013069856.tif 000004
【図３】
2013069856.tif 000005
【図４】
2013069856.tif 000006
【図５】
2013069856.tif 000007